(57)【要約】      （修正有）【課題】既設の電動機，巻上機に複雑な改造を施すことなくまた簡単な取付け作業で速度検出器を取付けるエレベータ制御リニューアルの速度検出器取付装置及びその取付方法を提供する。【解決手段】既設の巻上機２のシーブ３を利用して主回転体５を取付ける。また、主回転体の一側部近傍に検出器支持アームを設けた検出器支持部１０を設置する。この検出器支持部１０に設けた検出器支持アームの上部に前記主回転体５の円周面部に接する従回転体１１ｂを備えた速度検出器１１ａを取付け、シーブ３の回転と一体に回転する主回転体５に接する従回転体１１ｂを介して速度検出器１１ａにシーブ３の回転を伝達するエレベータ制御リニューアルの速度検出器取付装置である。【選択図】図２
2006160415.tif 000002
【特許請求の範囲】
【請求項１】
速度検出器の非取付けタイプの既設巻上機を残して制御リニューアルを行うエレベータ制御リニューアルの速度検出器取付装置において、
前記巻上機の巻上シーブを利用して取付けた主回転体と、
この主回転体の近傍に設置された検出器支持部に回転可能に取付けられ、前記主回転体の円周面部に接して回転し、当該主回転体の回転を、前記検出器支持部に支持される速度検出器に伝達する従回転体とを備えたことを特徴とするエレベータ制御リニューアルの速度検出器取付装置。
【請求項２】
速度検出器の非取付けタイプの既設巻上機を残して制御リニューアルを行うエレベータ制御リニューアルの速度検出器取付装置において、
前記巻上機の巻上シーブを利用して取付けた主回転体と、
この主回転体の近傍に回動可能に取付けた検出器支持アームと、
この検出器支持アームに回転可能に取付けられ、前記主回転体の円周面部に接して主回転体の回転を速度検出器に伝達する従回転体と、
前記主回転体の周面部に対して、所定の押圧力で前記従回転体を押付けるように当該検出器支持アームを回動させるテンション付加部材とを備えたことを特徴とするエレベータ制御リニューアルの速度検出器取付装置。
【請求項３】
速度検出器の非取付けタイプの既設巻上機を残して制御リニューアルを行うエレベータ制御リニューアルの速度検出器取付装置において、
前記巻上機の巻上シーブを利用して取付けた主回転体と、
この従回転体の近傍に設置された検出器支持板体に回転可能に取付けられ、前記主回転体との間に掛け渡された無端条帯を介して当該前記主回転体の回転を、前記検出器支持板体に支持された速度検出器に伝達する従回転体と、
前記検出器支持板体に回動可能に軸支されたアームの他端部に取付けられ、前記無端条帯に接するように配置されたテンション用プーリと、
前記無端条帯の面部に対して、所定の押圧力で前記テンション用プーリを押付けるように当該アームを回動させるテンション付加部材とを備えたことを特徴とするエレベータ制御リニューアルの速度検出器取付装置。
【請求項４】
速度検出器の非取付けタイプの既設巻上機を残して制御リニューアルを行うエレベータ制御リニューアルの速度検出器取付方法において、
前記巻上機の巻上シーブを利用して主回転体を取付け、
また、前記主回転体の近傍に回動可能に検出器支持アームを設置するとともに、この検出器支持アームに回転可能、かつ前記主回転体の円周面部に接するように従回転体を取付け、当該従回転体の回転を前記検出器支持アームに支持される速度検出器に伝達可能にし、
前記検出器支持アームの下端部にテンション付加部材を接続し、前記検出器支持アームを回動させて前記主回転体の円周面部に対して所定の押圧力で前記従回転体を押付けることを特徴とするエレベータ制御リニューアルの速度検出器取付方法。
【請求項５】
速度検出器の非取付けタイプの既設巻上機を残して制御リニューアルを行うエレベータ制御リニューアルの速度検出器取付方法において、
前記巻上機の巻上シーブに主回転体を取付け、
また、前記主回転体の近傍に設置される検出器支持板体に回転可能に従回転体を取付けるとともに、前記主回転体と当該従回転体との間に無端条帯を掛け渡し、当該従回転体の回転を前記検出器支持板体に支持される速度検出器に伝達可能にし、
前記検出器支持板体に回動可能に軸支されたアームの他端部に回転可能、かつ前記無端条帯に接するようにテンション用プーリを取付け、当該アームの他端部にテンション付加部材を接続し、前記無端条帯に前記テンション用プーリを所定の押圧力で押付けることを特徴とするエレベータ制御リニューアルの速度検出器取付方法。
【発明の詳細な説明】
【技術分野】
【０００１】
本発明は、制御リニューアル時、速度検出器をもたない既設巻上機の巻上シーブに速度検出器を取付けるためのエレベータ制御リニューアルの速度検出器取付装置及びその取付方法に関する。
【背景技術】
【０００２】
エレベータ制御リニューアルは、乗りかごの昇降制御を行うエレベータ制御盤に加えて、電動機、減速機及び巻上シーブを含んだ巻上機全てを交換するか、或いは電動機だけを交換するなどの制御リニューアル工法がとられている。
【０００３】
特に、近年のエレベータ制御盤では、電動機を回転駆動するインバータを制御するために、パルスジェネレータもしくはレゾルバ等の速度検出器を設置し、当該速度検出器で電動機の速度を検出し、指令速度に近づくように速度制御を行っている。従って、エレベータ制御盤をリニューアルする場合、電動機の速度を検出する速度検出器の設置が不可欠となる。
【０００４】
ところで、従来のエレベータ制御リニューアルにおいては、前述したようにエレベータ制御盤とともに巻上機又は電動機のみを交換する場合、その交換すべき新規な巻上機や電動機にパルスジェネレータもしくはレゾルバ等の速度検出器が取付けられているので、新規なエレベータ制御盤にそのまま適用できる。
【発明の開示】
【発明が解決しようとする課題】
【０００５】
しかしながら、巻上機又は電動機のみを残した状態で制御リニューアルを実施する場合、未だ巻上機又は電動機に速度検出器が設置されていない機種も多く存在する。このような機種の場合、新規にリニューアルするエレベータ制御盤に適用可能な速度検出器を設置する必要がある。
【０００６】
そこで、既設の巻上機又は既設の電動機に新たに速度検出器を設置しようとした場合、当該巻上機又は電動機に設置場所がないとか、或いは速度検出器をどのように取付けるかが問題となる。
【０００７】
本発明は上記事情に鑑みてなされたもので、既設の巻上機又は電動機に複雑な改造を施すことなく、また簡単な取付け作業で速度検出器を取付けるエレベータ制御リニューアルの速度検出器取付装置及びその取付方法を提供することを目的とする。
【課題を解決するための手段】
【０００８】
（１）  上記課題を解決するために、本発明に係るエレベータ制御リニューアルの速度検出器取付装置は、巻上機の巻上シーブを利用して取付ける主回転体と、この主回転体の近傍に設置された検出器支持部に回転可能に取付けられ、当該主回転体の円周面部に接して回転し、当該主回転体の回転を速度検出器に伝達する従回転体とを設けたレベータ制御リニューアルの速度検出器取付装置である。
【０００９】
この発明は、既設の巻上機の巻上シーブを利用して主回転体を取付けるので、シーブに既にネジ穴が形成されていれば簡単に主回転体を取付けでき、ネジ穴が無い場合にはネジ穴を形成すれば主回転体を取付けできる。
【００１０】
また、主回転体の一側部近傍の適宜な個所に検出器支持部を設置し、この検出器支持部に主回転体の円周面部に接してシーブの回転を速度検出器に伝達する従回転体を取付けるので、巻上機を改造せずに巻上機シーブの回転を速度検出器で検出できる。
【００１１】
さらに、回動可能に支持された検出器支持アームに速度検出器を備えた従回転体を回転可能に取付けるとともに、この検出器支持アームにテンション付加部材を接続し、検出器支持アームを回動させるので、主回転体の円周面部に対して所定の押圧力で従回転体を押付けることができ、巻上機シーブの回転，ひいては電動機の速度を速度検出器で高精度に検出できる。
【００１２】
（２）  また、本発明に係るエレベータ制御リニューアルの速度検出器取付装置は、巻上機の巻上シーブを利用して取付ける主回転体と、この主回転体の近傍に回動可能に取付けられた検出器支持アームと、この検出器支持アームに回転可能に取付けられ、当該主回転体の円周面部に接して主回転体の回転を速度検出器に伝達する従回転体と、前記主回転体の周面部に前記従回転体を所定の押圧力で押付けるように当該検出器支持アームを回動させるテンション付加部材とを設ければ、主回転体の円周面部に従回転体が常に安定に接するので、巻上機の回転を速度検出器で高精度に検出できる。
【００１３】
（３）  また、本発明に係るエレベータ制御リニューアルの速度検出器取付装置は、巻上機の巻上シーブを利用して取付ける主回転体と、この従回転体の近傍に設置された検出器支持板体に回転可能に取付けられ、前記主回転体との間に掛け渡された無端条帯を介して当該前記主回転体の回転を速度検出器に伝達する従回転体と、前記検出器支持板体に回動可能に軸支されたアームの他端部に取付けられ、前記無端条帯に接するように配置されたテンション用プーリと、前記無端条帯の面部に前記テンション用プーリを所定の押圧力で押付けるように当該アームを回動させるテンション付加部材とを設けた構成である。
【００１４】
この発明においても、前述した（１）の発明と同様の作用効果を奏する。
【００１５】
（３）  さらに、本発明に係るエレベータ制御リニューアルの速度検出器取付方法は、巻上機のシーブに主回転体を取付ける工程と、この主回転体の近傍に回動可能に検出器支持アームを設置する工程と、前記検出器支持アームに回転可能、かつ前記主回転体の円周面部に接するように従回転体を取付ける工程と、前記検出器支持アームに速度検出器を取付て前記従回転体の回転速度を検出可能にする工程と、前記検出器支持アームの下端部にテンション付加部材を接続し、前記検出器支持アームを回動させて前記主回転体の円周面部に前記従回転体を所定の押圧力で押付ける工程とを有することにより、比較的簡単な取付け作業で既設の巻上機のシーブを利用し、速度検出器を取付けることができる。
【発明の効果】
【００１６】
本発明によれば、既設の巻上機又は電動機に複雑な改造を施すことなく、また簡単な取付け作業で速度検出器を取付けできるエレベータ制御リニューアルの速度検出器取付装置及びその取付方法を提供できる。
【発明を実施するための最良の形態】
【００１７】
以下、本発明の実施の形態について図面を参照して説明する。  
図１ないし図３は本発明に係るエレベータ制御リニューアルにおける速度検出器取付装置の一実施の形態を説明する構成図である。なお、図１は速度検出器を取付けるための既設巻上機の概略構成図、図２は本発明に係るエレベータ制御リニューアルにおける速度検出器取付装置を示す構成図、図３は高精度に速度検出を行うための説明図である。
【００１８】
一般的な既設の巻上機装置は、図１に示すように例えば昇降路上部の機械室などの床部に機械振動の吸収機能及び設置補強機能等をもたせた断面例えば「エ」字形状又は逆凹形状のマシンベッド１が取付けられ、このマシンベッド１上には巻上機２が設置されている。同図（ａ）は側面図、同図（ｂ）は正面図である。
【００１９】
巻上機２は、電動機及び減速機などを含んだギアード巻上機であるが、減速機をもたないギアレス巻上機その他の種々の巻上機が存在する。これら巻上機２の回転軸には乗りかご（図示せず）を吊下げるメインロープ（図示せず）を掛け渡すためのシーブ３が取付けられている。一般的な既設巻上機２のシーブ３の中心部には、図１（ａ）に示すようにエンドプレート固定用の複数のネジ穴４，…が形成されている。なお、巻上機２の回転軸に取付けられるシーブ３の中心部にエンドプレート固定用のネジ穴４が形成されていない場合には、当該シーブ３の中心部の平坦面部に複数のネジ穴４，…を形成する。
【００２０】
そこで、シーブ３の中心部に形成された複数のネジ穴４，…を利用し、図２に示すように当該複数のネジ穴４，…に所定幅広の円周面部を有する主回転体５をネジ止めによって取付ける。図２（ａ）は側面図、同図（ｂ）は速度検出器取付装置の要部を表す正面図である。
【００２１】
主回転体５は、一般的な回転板体であってもよいが、軽量化を要求する場合には中心ネジ止め部から放射方向に複数の支持体で支えた例えば荷車形状の環状体であってもよい。さらに、主回転体５の円周面部は、摩擦係数の大きい材料で形成するとか、或いは表面を梨地状に形成して摩擦力を大きくすることが望ましい。
【００２２】
また、マシンベッド１上の主回転体５一側部近傍には検出器支持部１０が設置され、当該検出器支持部１０にシーブ３の回転を受け取って電動機の速度を検出可能にする速度検出手段１１及び図３に示すように主回転体５の周面部に対して速度検出手段１１を所定のテンションで押付けるテンション付加部１２が設けられている。図３（ａ）は正面図、同図（ｂ）は側面図である。
【００２３】
前記検出器支持部１０は、マシンベッド１にネジ止めされ、図４に示すような起立支持部１０ａをもつ支持台１０ｂと、この支持台１０ｂの起立支持部１０ｂに貫通され、両側がボルトで締結される支持軸体１０ｃと、この支持軸体１０ｃに回動可能に軸支され、上部が円板形状に形成された検出器支持アーム１０ｄとを有する。
【００２４】
速度検出手段１１は、検出器支持アーム１０ｄにネジ止めされ、シーブ３ひいては電動機（図示せず）の回転速度を検出する例えばパルスジェネレータもしくはレゾルバ等の速度検出器１１ａと、検出器支持アーム１０ｄを挟んで速度検出器１１ａとは反対側に設けられ、主回転体５に接してシーブ３の回転を速度検出器１１ａに伝達する従回転体１１ｂとからなる。
【００２５】
前記テンション付加部１２は、図３（ｂ）に示すごとく支持台１０ｂに突設された支持部材１２ａと、この支持部材１２ａと前記検出器支持アーム１０ｄ下端部とを接続し、当該検出器支持アーム１０ｄを回動させることにより、主回転体５の円周面部に対して所定の押圧力で従回転体１１ｂの周面部を押付けるコイルばねなどのテンション付加部材１２ｂとを有する。
【００２６】
なお、主回転体５の取付けは、シーブ３に直接取付けず、例えばシーブ３にネジ止め、もしくは溶着その他の固定手段で固定される中間支持軸を取付け、この中間支持軸に螺着して取付けてもよい。
【００２７】
また、検出器支持部１０としては、テンション付加部１２を設けることなく、マシンベッド１に支持板体を立設し、当該支持板体に回転可能、かつ主回転体５の円周面部に接するように従回転体１１ｂを取付け、シーブ３の回転を速度検出器１１ａに伝達する構成でもよい。
【００２８】
さらに、マシンベッド１上に検出器支持部１０を設置したが、その他の固定台でもよく、或いは巻上機２の取付けネジを利用して検出器支持部１０を設置してもよい。要は、シーブ３の一側部近傍に検出器支持部１０を設置し、主回転体５の円周面部に従回転体１１ｂの周面部を接するように取付ければよいものである。
【００２９】
次に、以上のような速度検出器取付装置を用いた本発明に係る速度検出器取付装置について説明する。
【００３０】
（１）  既設巻上機２のシーブ３の中心部分に既にエンドプレート固定用のネジ穴４，…が形成されている場合には当該ネジ穴４，…を利用し、或いはエンドプレート固定用ネジ穴が無い場合にはシーブ３に新たにネジ穴４，…を形成し、主回転体５をネジ止めにより取付ける。
【００３１】
（２）  次に、マシンベッド１上の適宜な位置に検出器支持アーム１０ｄを有する検出器支持部１０を設置する。
【００３２】
（３）  この検出器支持部１０の検出器支持アーム１０ｄに前述した主回転体５の円周面部に接触させる従回転体１１ｂを備えた速度検出器１１ａを取付け、当該従回転体１１ｂを介してシーブ３の回転を速度検出器１１ａに伝達可能にし、電動機の速度を検出する。
【００３３】
（４）  さらに、支持台１０ｂに取付けた支持部材１２ａと検出器支持アーム１０ｄ下端部とをテンション付加部材１２ｂで接続し、主回転体５に従回転体１１ｂを常に所定の押圧力で押付け、シーブ３の回転力，ひいては電動機の回転速度を高精度に検出可能とする。
【００３４】
従って、以上のような実施の形態によれば、電動機の回転に同期する既設巻上機２のシーブ３を利用し、このシーブ３に主回転体５を取付ける一方、この主回転体５の近傍に検出器支持アーム１０ｄを有する検出器支持部１０を設置し、当該検出器支持アーム１０ｄに従回転体１１ｂを備えた速度検出器１１ａを取付け、従回転体１１ｂを主回転体５の円周面部に接するようにしたので、エレベータに使用される既設の電動機又は巻上機２に複雑な改造を施すことなく、速度検出器１１ａを取付けることができる。
【００３５】
また、主回転体５の一側部周縁近傍に検出器支持アーム１０ｄを有する検出器支持部１０を設置し、検出器支持アーム１０ｄに支持される速度検出器１１ａに従回転体１１ｂを取付け、主回転体５に接するように配置したので、シーブ３側の主回転体５と従回転体１１ｂとを介して電動機の速度を速度検出器１１ａで確実に検出することができる。
【００３６】
さらに、検出器支持アーム１０ｄの下端部にテンション付加部材１２ｂで接続し、主回転体５に対して所定の押圧力で従回転体１１ｂを押付けるようにしたので、電動機の回転速度を主回転体５及び従回転体１１ｂを介して高精度に検出することができる。
【００３７】
図５及び図６は本発明に係るエレベータ制御リニューアルにおける速度検出器取付装置の一実施の形態を説明する構成図である。図５は速度検出器取付装置の側面図及び要部正面図、図６はテンション付加部を説明する図である。
【００３８】
この速度検出器取付装置においても、巻上機２の回転軸に取付けられたシーブ３の中心部にエンドプレート固定用のネジ穴４，…が形成されていない場合には、当該シーブ３の中心部の平坦面部に複数のネジ穴４，…を形成する。
【００３９】
そして、シーブ３の中心部に形成される複数のネジ穴４，…を利用し、当該複数のネジ穴４，…に図５に示すように円周面部に溝を形成したプーリなどの主回転体５´がネジ止めされている。
【００４０】
また、マシンベッド１上のシーブ３一側部近傍には上部側を幅広面に形成した逆Ｌ字状の検出器支持板体１３がネジ止めされている。この検出器支持板体１３には電動機の速度を検出する速度検出手段１１が取り付けられている。速度検出手段１１は、図６に示すごとく検出器支持板体１３の一端部低部位側に取付けられ、電動機（図示せず）の回転速度を検出する例えばパルスジェネレータもしくはレゾルバ等の速度検出器１１ａと、検出器支持板体１３を挟んで速度検出器１１ａとは反対側である主回転体５´の対峙面側にプーリなどの従回転体１１ｃが取付けられ、この従回転体１１ｃの回転を速度検出器１１ａに伝達する。そして、従回転体１１ｃとシーブ３側に取付けた主回転体５´との間にベルトなどの無端条帯１１ｄを掛け渡し、主回転体５´の回転を従回転体１１ｃを介して速度検出器１１ａに伝達する構成である。
【００４１】
さらに、無端条帯１１ｄに所定のテンションを付加するためのテンション付加部１２が設けられている。テンション付加部１２は、検出器支持板体１３の上端部位側に一端部を回動可能に取付けたアーム１２ｃと、このアーム１２ｃの他端部側に回転可能に軸支され、主回転体５´と従回転体１１ｃとの間に掛け渡された無端条帯１１ｄに接するように配置されたテンション用プーリ１２ｄと、このアーム１２ｃの他端部と検出器支持板体１３の適宜な個所との間に接続され、アーム１２ｃを介してテンション用プーリ１２１ｄを無端条帯１１ｄの内側から外側に押圧力で押し付け、当該無端条帯１１ｄに所定のテンションを付加するコイルばねなどのテンション付加部材１２ｂとを有する。
【００４２】
なお、１４は無端条帯１１ｄの切断を検出するベルト切れスイッチ、１５はアーム１２ｃの大きな上下揺動を規制する揺動規制ストッパーである。
【００４３】
次に、以上のような速度検出器取付装置を用いた本発明に係る速度検出器取付装置について説明する。
【００４４】
（１）  既設巻上機２のシーブ３の中心部分に既にエンドプレート固定用のネジ穴４，…が形成されている場合には当該ネジ穴４，…を利用し、或いはエンドプレート固定用ネジ穴が無い場合にはシーブ３に新たにネジ穴４，…を形成し、主回転体５´をネジ止めにより取り付ける。
【００４５】
（２）  次に、マシンベッド１上の適宜な位置、例えばシーブ３の一側部近傍に検出器支持板体１３を設置し、この検出器支持板体１３の一端低部位に従回転体１１ｃを有する速度検出器１１ａを支持した後、主回転体５´と従回転体１１ｃとの間に無端条帯１１ｄを掛け渡すことにより、シーブ３の回転を、主回転体５´、無端条帯１１ｄ及び従回転体１１ｃを通じて速度検出器１１ａに伝達可能にする。
【００４６】
（３）  さらに、検出器支持板体１３に上部に回動可能に軸支されたアーム１２ｃの他端部に回転可能、かつ前記無端条帯１１ｄに接するようにテンション用プーリ１２ｄを取付ける。そして、当該アーム１２ｃの他端部と検出器支持板体１３の適宜な個所との間にテンション付加部材１２ｂを接続し、無端条帯１１ｄにテンション用プーリ１２ｄを所定の押圧力で押付けるようにする。
【００４７】
従って、以上のような実施の形態によれば、前述する実施の形態と同様に電動機の回転に同期する既設巻上機２のシーブ３を利用し、このシーブ３に主回転体５´を取付け、一方、マシンベッド１側にネジ止めした検出器支持板体１３に従回転体１１ｃを取付け、主回転体５´との間に無端条帯１１ｄを掛け渡すことにより、シーブ３の回転を従回転体１１ｃに伝達できる。よって、従回転体１１ｃを同じく検出器支持板体１３に支持される速度検出器１１ａに伝達すれば、当該速度検出器１１ａを回転させることができる。
【００４８】
さらに、アーム１２ｃの他端部と検出器支持板体１３の適宜な個所との間にテンション付加部材１２ｂを接続し、アーム１２ｃに取付けたテンション用プーリ１２ｄをもって無端条帯１１ｄを例えば内側から外側に押付けるようにしたので、主回転体５´の回転を正確に従回転体１１ｃに伝達できるので、結果として電動機の速度を速度検出器１１ａで正確に検出できる。
【００４９】
なお、本発明は、上記実施の形態に限定されるものでなく、その要旨を逸脱しない範囲で種々変形して実施できる。また、各実施の形態は組み合わせて実施することが可能であり、その場合には組み合わせによる効果が得られる。
【図面の簡単な説明】
【００５０】
【図１】従来の既設の巻上機を示す図であって、同図（ａ）は側面図、同図（ｂ）は正面図。
【図２】本発明に係るエレベータ制御リニューアルにおける速度検出器取付装置の一実施の形態を示す構成図であって、同図（ａ）は側面図、同図（ｂ）は要部を示す正面図。
【図３】図３は高精度に速度検出を行うために説明する速度検出器取付装置の構成図であって、同図（ａ）は正面図、同図（ｂ）は側面図。
【図４】検出器支持機構部の起立支持部をもつ支持台を示す図。
【図５】本発明に係るエレベータ制御リニューアルにおける速度検出器取付装置の他の実施形態を示す構成図であって、同図（ａ）は側面図、同図（ｂ）は要部を示す正面図。
【図６】テンション付加部を説明する図。
【符号の説明】
【００５１】
１…マシンベッド、２…巻上機、３…巻上シーブ、５，５´，…主回転体、１０…検出器支持部、１０ａ…起立支持部、１０ｂ…支持台、１０ｃ…支持軸体、１０ｄ…検出器支持アーム、１１…速度検出手段、１１ａ…速度検出器、１１ｂ、１１ｃ…従回転体、１１ｄ…無端条帯、１２…テンション付加部、１２ｂ…テンション付加部材、１２ｃ…アーム、１２ｄ…テンション用プーリ、１３…検出器支持板体、
【図１】
2006160415.tif 000003
【図２】
2006160415.tif 000004
【図３】
2006160415.tif 000005
【図４】
2006160415.tif 000006
【図５】
2006160415.tif 000007
【図６】
2006160415.tif 000008